(57)【特許請求の範囲】
【請求項１】
給餌を２回に分けて自動で行い、２食を同時に食せないようにするとともに、他の動物が餌盗りするのを防止する２食給餌システムであって、
給餌器と、上記給餌器に収納される引出し式餌箱と、ペットに装着される強磁性体のペンダントＱ、延長コードを備え、
上記給餌器の開口部には、跳ね上げ式扉３、侵入防止引き戸４３又は侵入口つき引き戸４２が、設けられており、
上記給餌器のタイマーがＯＦＦの間、上記跳ね上げ式扉３は上記開口部全体を覆い、一回目給餌時間となり、タイマーがＯＮになると、通電し、上記開口部の電磁石Ｃと、上記跳ね上げ式扉３の内側の永久磁石ｃＳとが同極反発して、上記跳ね上げ式扉３が開き、
上記跳ね上げ式扉３が開くと、ペットが近づき、上記侵入口つき引き戸４２がセットされていれば、上記扉が開いた時点で、上記侵入口から一食目餌入れ１０に盛られた餌を食することが可能となり、
餌盗りの心配な家庭で、上記侵入防止引き戸４３がセットされていれば、一回目タイマーＯＮにおいて、上記電磁石Ｃと電磁石Ｂへ同時通電させることによって、上記扉３が上記同極反発で開いた瞬間には、
上記給餌箱内の凹みに隠しておいた、上記引き戸４３のマウスピースＭ２が、上記凹み内の永久磁石ｂと電磁石Ｂとの同極反発により押し出され、上記マウスピースＭ２が上記給餌器の外へと放り出されることにより、ペットが、上記マウスピースＭ２を銜えて引っ張り、上記引き戸４３を上記給餌器の外へと引き出して、上記１食目餌入れ１０に盛られた餌を食できるとともに、
２食を同時に食せないよう、上記タイマーは、上記引出し式餌箱前面の電磁石室に装着され、
Ｎ極側を上記引出し式餌箱真正面中央に取り付けた電磁石Ａ１、及び、Ｓ極側を上記侵入口つき引き戸４２の侵入口に位置する、上記電磁石室天井面に取り付けた電磁石Ａ２への通電を、
１秒でＯＦＦになるようセットされて、２食目が入る引出し式餌箱の引き出しは不可能とし、
２食目の給餌時間となり、タイマーがＯＮになると、２食目用の上記引出し式餌箱にセットされた、上記電磁石Ａ１Ａ２と臭い送風機１１の両方に通電し、
上記引出し式餌箱の餌入れ１０−２に用意された２食目の餌の臭気で、
ペットを上記引き戸４２の侵入口の中へ誘い込み、頭部から首部を侵入させた所で、上記電磁石Ａ１Ａ２の磁気がペンダントＱを吸引吸着することによって、
ペットが、上記引出し式餌箱の餌入れ１０−２を引き出せるようにしていることを特徴とする２食給餌システム。
【請求項２】
給餌を３回以上に分けて自動的に行ない、３食以上を同時に食せないようにするとともに、ペットが餌盗りするのを防止する３食以上給餌システムであって、
３個以上の引出し式餌箱を並列に配置しており、延長コードとを備え、
給餌時間になり、タイマーがＯＮになると、通電し、上記引出し式餌箱の前面
に設けられたオブジェクトの永久磁石ｄと、上記給餌器の永久磁石Ｄとが同極反発して、上記オブジェクトが飛び出し、ペットを誘うとともに、ペット自身が引出し式餌箱を引き出せるようにしたことを特徴とする３食以上給餌システム。
【請求項３】
給餌を自動的に行なう給餌システムであって、
引き出し式餌箱と、上記引出し式餌箱の前方に下りスロープを備え、
上記引出し式餌箱は、餌箱と、餌箱を収納する本体部からなり、
給餌時間になり、タイマーがＯＮになると、通電し、上記餌箱の背面の永久磁石ｅと上記本体部の電磁石Ｅとが同極反発して、
上記餌箱が飛び出し、上記下りスロープを下って車輪ストッパーにより停止し、ペットに給餌することを特徴とする給餌システム。
【発明の詳細な説明】
【技術分野】
【０００１】  発明は、留守時ペット給餌器。
【背景技術】
【０００２】  この分野では現在、国内国外共に、当該発明と対比する給餌器は見聞きせず、対比する文献もない。
各家庭のニーズに応えた発明の商業的価値は無限大である。
【発明の表示】
図１  図３  図４  図５  図６  図９  図１１  図１２  図１３  図１４
【発明が解決しようとする課題】
【０００３】  給餌器の中でニーズが高い一つには、数日間留守可能なこと。
【０００４】  以上と同時に、「室外」「室内」両用可能な給餌器。
【０００５】  中型：大型ペット用の給餌器。
【０００６】  餌盗り排除機能を兼備した給餌器。
【０００７】  「故障のリスクが少なく」、且つ、「値が張らない手軽な製品」。
【課題を解決するための手段】
【０００８】  電磁石、永久磁石それぞれの特性を最大限に生かす。
【０００９】  ハプニングが起きたとしても、素人でもメンテナンスが可能なシステム。
【００１０】  奇抜なアイデアの結集。
【発明の効果】
【００１１】  ペット愛好家のニーズを満たし、親しまれる機器を実現。
【発明を実施するための最良の形態】
【００１２】  「ニーズの実態」と［特許請求の範囲］の考察。
【図面の簡単な説明】
【００１３】
【図１】  本発明の実施形態を示す外観図
【図２】  一食目と２食目の餌箱の構造説明図
【図３】  図１の内部の説明用図
【図４】  使用電磁石の作成図
【図５】  ２種類ある引き戸の説明用図
【図６】  第二の餌盗り防止システム図
【図７】  車輪及び車輪ガイドの説明図
【図８】  スイッチ説明図
【図９】  オブジェクト、ショット装置
【図１０】  図９の補充説明図
【図１１】  オブジェクトショット後の説明図
【図１２】  給餌３食用の図
【図１３】  下りスロープ式給餌器
【図１４】  大型犬給餌器の概観図
【符号の説明】
【００１４】ローマ字    大文字「Ａ」「Ｂ」「Ｃ」「Ｄ」「Ｅ」＝電磁石
同        小文字「ａ」「ｂ」「ｃ」「ｄ」「ｅ」＝永久磁石
他のローマ字
Ｓ＝Ｓ極    Ｎ＝Ｎ極    Ｐ＝磁石同極反発ショット＊例  扉開閉＝ＣＳＰｃＳ
Ｑ＝強磁性体ペンダント＝ペット認識カード＝ＱＡ１Ａ２
Ｆ１＝フットワーク  Ｆ２＝フットワークを誘う取っ手の類
Ｍ１＝ペットの口と噛み歯    Ｍ２＝Ｍ１を誘うオブジェクト
Ｙ＝直流＋側から延びた配線コード    Ｘ＝直流−側から延びた配線コード
Ｗ＝ＹとＸをドッキング（２芯化）させたＢＯＸ、尚、２芯コードが落下しないよう施している。
Ｚ＝コードが餌箱と一緒に引出されるか、引き戻される時のコードガイド装置
Ｖ＝引き戸の侵入口、また、侵入口の下辺を表している。【００１５】  （大型犬対応、及び、２食給餌システム）
それらを可能としたのは、図１に見る扉（３）のアップダウン開閉システムで、梃子力学応用（図１の２−Ｔ−Ｊ−３）と「電磁石」「永久磁石」のペアで成り立っている。その給餌器には、扉の開放で食できる一食目と、餌箱を引出すことで食べ得る２食目とが備わる。ペットが大型の場合、扉の頑丈さが要求されるが、図１４は、１図の給餌器を一食用にしたものである。一食用で事足りるケースでは、図３に見る装置の中で必要とするのは、タイマー、エリミネーター（３０−３１−３２）、エクセルギー（２−Ｔ−Ｊ−３））と、永久磁石（図１のｃＳ）の４点しかなく、台座も必要なしの家庭であれば、余りの低コストに驚かされる。また扉には、絵を描くなどにより、楽しめることや、付加価値を高めることが出来る。永久磁石は、扉の開閉の両方共に欠かせず、損壊対策に「１８−８ステンレス」や「ラバーゴム」等にて二重に囲み込み保護する。マグネットの吸着力は、市販の１５Ｋｇ前後のもので間に合う。エリミネーターと電磁石は一箇所に収納（図１４の８３）可能で、このポイントに受ける衝撃に対しても、鉄壁に備えておく。【００１６】  （扉方式の利点２と２食分割給餌の確実化）
２食給餌を可能にしたには、現在のタイマーが、１つに「１４プログラムの設定機能」をもち、２に「１秒刻みのＯＮＯＦＦが可能」なことがある。だが、その機能だけでは、一食目と２食目を２回に分けて食べさせることは出来ない。そこで２食を同時に食させないシステムの発明が欠かせない。この難題は、タイマー機能２と扉方式のペアで解決した。タイマーＯＮによりＡ１Ａ２は、鉄の塊から磁石になるが、永久磁石はＯＦＦの時には吸着し、扉を閉じる役目をしていた。タイマーＯＮで、Ｐ（同極反発）が起こり、扉が開放されてペットが駆け寄って来る。このときＡ１Ａ２に通電した侭とすると、２食目も引き出し食べること可能である。だが、このアップダウン開閉式の扉であれば、瞬時に開くことで、一秒もせずＰは無用である。そのことから、タイマーＯＮからＯＦＦの間を一秒にセットすることで、２食目を食することは不可能となる。【００１７】  （ペンダントＱ）
Ｑ（強磁生体）の役目の一つは、引出し式餌箱の引っ張り出しを、ペットになさせるための道具である。もう一つは、人間社会における本人確認のカードで、餌盗り対策である。Ｑを吸着するのは、図１に見るＡ１Ａ２の釣り針型電磁石である。ＳＮ両極を、上部と前面２箇所に配置する訳にはペットの首の長さ等の相違への配慮がある。Ｑが、吸着すると、ペットは異変に驚きバックする。その動作の応用であるが、Ａ１Ａ２の配置スポットは、図５のＶに侵入する際のＱの予想通過点である。そのスポットを的確にするには、予想通過点を狭める方策が必要である。Ｖの間口（侵入口）が、ペットの頭や首のサイズと掛け離れていれば、通過点を逸れかねず、それにはＶのサイズをペットと合わせておくことが欠かせない。ペットが小さい内は、それをしておく事で、より大きな餌盗りの侵入防止にもなる。ペットが、成長過程にある家庭では、Ｖが大きな引き戸を数用意しておくが、図１の９は、その引き戸の取替え口である。
（２食目を確実に食させる方策）
２食目の給餌時間がやって来ても、このとき一食目の餌皿は空になっている。音声テープで、Ｖから呼びかけたにしても、首を突っ込むとは限らない。より確実な方策が、２食目の餌の臭気をＶから外に流すことで、その装置が、図１の１１の送風機である。念を入れたのが同図１７の疑似餌である。【００１８】  （第二の餌盗り防止システム）
図５の４２の引き戸では、餌盗り防止にならないので、同図の４３のＶなし引き戸に取り替えて引出すシステムである。引出す仕事をするのは、食するペット自身（図３−Ｍ１）である。Ｍ１はＭ２（図５）を、銜え引っ張る。図６は、Ｍ２をＰのショットで放出させる装置で、放出前の鎖は、切削等で凹みをつけた壁面に隠しておく。大方が気になることは、この方策の信頼度であるが、もし口で引っ張り十分に引出せずとも、少し引き戸が開くだけで、餌の臭いが漂って来るので、空き腹のペットであれば、足や頭部を使って何が何でも押し開くこと本能で、少しでも練習させておくと心配無用。それより心配は、引き戸の損壊である。対策には、材質を軽くて硬い金属類とし、摩擦が起こる引き戸の角や底面に丸みをつけ、床面は滑り易く施工をしておく。この装置を加えると、３個の磁石が必要であるが、それを低コストで作成したのが、図４である。図５の４５は、落下の防ぎと、警報ブザー（図１の８）のスイッチをＯＮとする。強烈な引っ張りに備えたもの。【００１９】  （延長コード処理システム）
餌箱の引出し式で避けて通れないのが、掃除機と同じくコードを延長させたり、巻き戻す装置が必要なことである。給餌機器に、ゼンマイ等は不向きで、モーターは衝撃に難があり、コストもかかる。難題を最善に解決させたのが、図３及び図１２に示すＹ１Ｘ１である。垂れた部分の長さは餌箱の長さ（奥行）に比例する。引出しと、引き戻しの際には、コードに多少無理が掛かるので、掃除機と同種のコードを用いる。残る課題は、スムーズな送り出しであるが、シャトルを備えた送線ガイド（図３のＺ）を２箇所設けるだけで、スムーズに事を運びその様子は想像以上である。
（扉方式の利点３）
扉は人の手で閉めるが、閉めるときには、重り（２）とコードが一緒に上がって行き、閉めを終えたときには、コードは元の位置に引き戻っている。これにも目を見張り、この扉方式しか成しえない業である。
（送電ストップ装置（図８）の必要性）
ペットが、餌を食べるとき、Ａ１Ａ２に通電した侭であれば、食する障害になるばかりか、強烈に引っ張る等して、餌箱を損壊させる危険がある。図８が、スイッチを切る装置であるが、セット位置は餌箱のストップ位置と同位置で、切る仕組みは、餌箱の底に取り付けた永久磁石（ａ）が、スイッチボックス内部の強磁性体（５７）を吸着する。すると５７と連結させた通電接触面（６０）が、上昇することでＯＦＦとなる。【００２０】  （引出し式餌箱、並列連結による給餌システム）
図９  図１０  図１１  図１２
このシステムによる給餌は、三食以上が可能で、その場合、横幅が長くなり場所をとるが、餌箱の奥行を深くすることで、横幅は短縮することが出来る。このシステムでは、ペット自身（図３のＦ１）で引き出すが、そのフットワークを誘うのは、疑似餌風のオブジェクト（図１１）である。
（オブジェクトに魚を選択した理由）
横に長く、二つの永久磁石を隠し、セットできること。背びれ（Ｆ２）が、取っ手の代わりになり、フットワークを誘うにこれ以上の対象はないこと。また、かわいいペットの器には、愉快さが似合っていること。オブゼエクトの材質については、ジュラルミンなど考えられるが、ショット前のオブジェクトは、背面を半格納にしておくことで、背面の象りが可能な材質をも併せ持つ必要がある。３食が、３匹用とすれば、並列するだけで完成となる。一匹三食用となると、一食済ませる間に他のオブゼエクトは引っ込めておく必要がある。それが不可能とすれば、一度に全部食べられ、餌盗りにも遭いかねない。タイマーをＯＦＦにすることで、マグネットの吸着力が引っ込めに働くが、その力は空気抵抗にて、Ｐ力よりはかなり低下する。ガウス数２６００Ｇ＝吸着力２０Ｋｇを用いた実験の結果では、ショット先が餌箱表面（図９の７０）から３０ｍｍを超えていると、吸引力の低下は顕著となっている。オブジェクトにフットワークさせる適度な距離は、Ｆのサイズによって異なるが、吸引力を補う必要があるケースでは、簡単な手段として、Ｐの装置を少し上向きに取り付け、更に滑り落ちる力を増すため、射出停止用球（図１０の６９）の重量を増しておく方法がある。【００２１】  （下りスロープ式簡易システム）  図１３
餌盗りの心配のない家庭では、図１３のシステムで十分である。また、ペットが複数の家庭向けには、その分だけ器を大きくすることでも対応可能だ。尚、延長コード処理システムなど不要なことから、連結も容易である。
【要約】      （修正有）【課題】数日間、留守可能なペット用給餌器の提供。【解決手段】タイマーに一つに「１４プログラムの設定機能」をもち、また「１秒刻みのＯＮＯＦＦが可能」とし、一食目、二食目と分けて食べさせることとした。そのために給餌のための扉に設けた電磁石をＯＮＯＦＦさせる。【選択図】図１【図１】
0005115876.tif 000002
【図２】
0005115876.tif 000003
【図３】
0005115876.tif 000004
【図４】
0005115876.tif 000005
【図５】
0005115876.tif 000006
【図６】
0005115876.tif 000007
【図７】
0005115876.tif 000008
【図８】
0005115876.tif 000009
【図９】
0005115876.tif 000010
【図１０】
0005115876.tif 000011
【図１１】
0005115876.tif 000012
【図１２】
0005115876.tif 000013
【図１３】
0005115876.tif 000014
【図１４】
0005115876.tif 000015